(57)【要約】【課題】ネットワーク経由で汎用の電気機器の動作を制御したり、監視することができる信号入出力装置を提供する。【解決手段】ゲートウェイ３０はＴＣＰ／ＩＰのプロトコルを構内の伝送系のプロトコルに変換する機能を有し、プロトコル変換された信号は伝送ユニット３６に出力される。伝送ユニット３６には信号線を介して複数の信号入出力装置１が接続され、伝送ユニット３６からアドレスを含む伝送信号を送信することで、各信号入出力装置１との間で信号の授受が行われる。信号入出力装置１は、伝送ユニット３６からの信号のプロトコルを変換するネットワークインターフェイス１２を有し、ＣＰＵ１０は、伝送ユニット３６から送信された制御信号に基づいて各インターフェイス１１ａ〜１１ｄに接続された電気機器の動作状態を制御すると共に、その動作状態を示す監視信号を伝送ユニット３６に送信する。【選択図】      図１
2006109520.tif 000002
【特許請求の範囲】
【請求項１】
外部から入力された制御信号に基づいて宅内に設置された電気機器の動作状態を制御するとともに、前記電気機器の動作状態を示す監視信号を発生する監視制御部と、監視信号をネットワークに適合したプロトコルに変換して送信するとともに、ネットワークを介して入力された制御信号のプロトコルを変換して監視制御部に出力するネットワーク接続部とを備え、多重伝送系のアドレスが割り当てられたことを特徴とする信号入出力装置。
【請求項２】
外部から入力された制御信号に基づいて宅内に設置された電気機器の動作状態を制御するとともに、前記電気機器の動作状態を示す監視信号を発生する監視制御部と、インターネットプロトコルを構内の伝送系に適合したプロトコルに変換するゲートウェイに構内の伝送系を介して接続され、前記監視信号を構内の伝送系に適合したプロトコルに変換してゲートウェイに送信するとともに、ゲートウェイから送信された制御信号のプロトコルを変換して監視制御部に出力するネットワーク接続部とを備え、多重伝送系のアドレスが割り当てられたことを特徴とする信号入出力装置。
【請求項３】
前記構内の伝送系に適合したプロトコルとはＥｔｈｅｒｎｅｔ（登録商標）のプロトコルであることを特徴とする請求項２記載の信号入出力装置。
【発明の詳細な説明】
【技術分野】
【０００１】
本発明は、外部との間で宅内の電気機器の動作を監視、制御するための信号を入出力する信号入出力装置に関するものである。
【背景技術】
【０００２】
この種の信号入出力装置としては、外出先から公衆回線を介してアクセスされ、入力されたＰＢ信号に基づいてＨＡ端子（ＪＥＭ−Ａ端子）に接続された特定の電気機器（例えばエアコンや照明など）の動作状態を監視したり、オン／オフを制御したりするテレコントロール機器が従来より提供されている。
【特許文献１】特開２００１−２５６１５６号公報
【発明の開示】
【発明が解決しようとする課題】
【０００３】
上述の信号入出力装置では、ＨＡ端子に接続可能な特定の電気機器しか制御することができないという問題があり、また公衆回線を介してアクセスするため通信費用がかかるという問題もあった。
【０００４】
本発明は上記問題点に鑑みて為されたものであり、その目的とするところは、ネットワーク経由で汎用の電気機器の動作を制御したり、監視することができる信号入出力装置を提供することにある。
【課題を解決するための手段】
【０００５】
上記目的を達成するために、請求項１の発明では、外部から入力された制御信号に基づいて宅内に設置された電気機器の動作状態を制御するとともに、電気機器の動作状態を示す監視信号を発生する監視制御部と、監視信号をネットワークに適合したプロトコルに変換して送信するとともに、ネットワークを介して入力された制御信号のプロトコルを変換して監視制御部に出力するネットワーク接続部とを備え、多重伝送系のアドレスが割り当てられたことを特徴とする。
【０００６】
請求項２の発明では、外部から入力された制御信号に基づいて宅内に設置された電気機器の動作状態を制御するとともに、電気機器の動作状態を示す監視信号を発生する監視制御部と、インターネットプロトコルを構内の伝送系に適合したプロトコルに変換するゲートウェイに構内の伝送系を介して接続され、監視信号を構内の伝送系に適合したプロトコルに変換してゲートウェイに送信するとともに、ゲートウェイから送信された制御信号のプロトコルを変換して監視制御部に出力するネットワーク接続部とを備え、多重伝送系のアドレスが割り当てられたことを特徴とする。
【０００７】
請求項３の発明では、請求項２の発明において、構内の伝送系に適合したプロトコルとはＥｔｈｅｒｎｅｔ（登録商標）のプロトコルであることを特徴とする。
【発明の効果】
【０００８】
請求項１の発明によれば、ネットワーク接続部では、ネットワークを介して入力された制御信号のプロトコルを変換して監視制御部に出力するとともに、監視制御部から入力された監視信号のプロトコルを変換してネットワークに出力しているので、ネットワーク経由で信号入出力装置に接続された汎用の電気機器の動作状態を監視したり、制御することができるという効果がある。また、信号入出力装置はネットワークに接続されているので、ネットワークに接続された他のネットワーク機器と信号入出力装置に接続された電気機器との間で連係動作が可能になるという効果もある。
【０００９】
請求項２の発明によれば、ネットワーク接続部では、ゲートウェイから入力された制御信号のプロトコルを変換して監視制御部に出力するとともに、監視制御部から入力された監視信号のプロトコルを変換してゲートウェイに出力しているので、ゲートウェイを介してネットワーク経由で信号入出力装置に接続された汎用の電気機器の動作状態を監視したり、制御することができるという効果がある。また、信号入出力装置はゲートウェイに接続されているので、構内の伝送系に接続された他の機器と信号入出力装置に接続された電気機器との間で連係動作が可能になるという効果もある。
【００１０】
請求項３の発明によれば、Ｅｔｈｅｒｎｅｔ（登録商標）を経由して宅内の電気機器の監視および制御を行えるという効果がある。
【発明を実施するための最良の形態】
【００１１】
（実施形態１）
本発明の実施形態１を図１〜図４に基づいて説明する。図１は信号入出力装置１のブロック図であり、この信号入出力装置１は、監視制御部としてのＣＰＵ１０と、内部接点の両端間に商用電源を介して電気機器が接続される接点入出力インターフェイス１１ａと、所謂ホームオートメーションシステム（ＨＡシステム）の端末機器が接続されるＪＥＭＡインターフェイス１１ｂと、ＲＳ２３２Ｃの通信ポートを有する電気機器を接続してこの電気機器との間でシリアル通信を行うＲＳ２３２Ｃインターフェイス１１ｃと、ＲＳ４８５の通信ポートを有する電気機器を接続してこの電気機器との間でシリアル通信を行うＲＳ４８５インターフェイス１１ｄと、一対の信号線を介して伝送ユニット３６に接続され、伝送ユニット３６との間で時分割多重伝送により信号伝送を行うネットワーク接続部としてのネットワークインターフェイス１２と、ＣＰＵ１０の動作プログラムを記憶したＲＯＭ１３と、各インターフェイス１１ａ〜１１ｄに接続された電気機器の動作状態を示す監視信号などのデータを記憶するＲＡＭ１４とで構成される。
【００１２】
この信号入出力装置１は、例えば集合住宅の各住戸に設置して、各住戸内のエアコンや照明器具などの電気機器の動作状態を遠隔から監視、制御するといった用途に用いられるものであり、図２に全体のシステム構成図を示す。
【００１３】
図２のＡ１は集合住宅の共用部分、Ａ２は個々の住戸を示している。集合住宅の共用部分には、ルータＨＵＢ３５を介してインターネット３に接続され、インターネットプロトコル（すなわちＴＣＰ／ＩＰプロトコル）を構内の伝送系に適合したプロトコルに変換するゲートウェイ３０と、例えば各住戸の鍵の預入や貸出を管理するキーボックス３１と、非常ボタンの操作により警報を発する防犯灯３２と、防犯カメラ３３の撮像した動画を管理サーバ４に送信する動画サーバ３４とが設置されており、キーボックス３１、防犯灯３２及び動画サーバ３４はルータＨＵＢ３５を介してゲートウェイ３０に接続されている。ここで、ゲートウェイ３０にはグローバルＩＰアドレスが割り当てられており、ゲートウェイ３０では、インターネット経由で入力された信号のプロトコルを構内ＬＡＮのプロトコルにプロトコル変換して、キーボックス３１、防犯灯３２及び動画サーバ３４に送信するとともに、インターネット経由で入力された信号のプロトコルを変換して伝送ユニット３６に出力している。
【００１４】
集合住宅の各住戸には信号入出力装置１が設置してあり、各住戸の信号入出力装置１は一対の信号線を介して伝送ユニット３６に接続されている。各信号入出力装置１には固有のアドレスが割り当てられており、伝送ユニット３６からアドレスを含む伝送信号を時分割多重伝送により送信することで、伝送ユニット３６と各信号入出力装置１との間で伝送信号の授受が行われるようになっている。また、信号入出力装置１には、エアコン２０や、照明器具２２や、人体検知センサ２３が接続されており、エアコン２０、照明器具２２、人体検知センサ２３の動作を監視および制御している。尚、図中２１は各住戸内に設置された分電盤であり、信号入出力装置１の接点入出力インターフェイス１１ａに分電盤２１を介して照明器具２２が接続されている。
【００１５】
また、各住戸には、住戸内の各部屋へのマルチメディア配線を１箇所から引き出すためのマルチメディアポート５０が設置されており、このマルチメディアポート５０は信号線を介してルータＨＵＢ３５に接続されている。マルチメディアポート５０には各部屋に設置されたマルチメディアコンセント５１が接続されており、マルチメディアコンセント５１およびマルチメディアポート５０を介してネットワーク機能を有するネットワークカメラ５２や携帯情報端末５３がルータＨＵＢ３５に接続される。また、マルチメディアポート５０には人体検知センサ２３が接続されている。ところで、図３は構内ＬＡＮに適合したＥｔｈｅｒｎｅｔ（登録商標）のフレーム構造を示しており、Ｅｔｈｅｒｎｅｔ（登録商標）ボードに割り当てられたＩＤデータＤ１と、送信元のＭＡＣアドレスＤ２と、送信先のＭＡＣアドレスＤ３と、制御信号または監視信号を示すデータ部Ｄ４と、チェックサムＤ５とで構成される。ゲートウェイ３０、キーボックス３１、防犯灯３２、動画サーバ３４、ネットワークカメラ５２、携帯情報端末５３及び人体検知センサ２３には固有のＭＡＣアドレスが割り当てられており、ＭＡＣアドレスを指定して相互に信号の授受が行えるようになっている。このように、本実施形態ではゲートウェイ３０のみにグローバルＩＰアドレスを割り当て、信号入出力装置１には多重伝送系のアドレスを持たせているので、全ての機器にグローバルＩＰアドレスを割り当てる必要がないという利点がある。
【００１６】
また、集合住宅の各住戸には、ガス漏れ警報器４２、煙感知器４３、ワイヤレス非常押釦４４からワイヤレス信号で送信された警報信号を受信するワイヤレス受信器４５などの防犯・防災センサからの警報信号を受信するとともに、各住戸の玄関に設置されたインターホン４６又はロビーインターホン４７との間で通話を行う住宅情報盤４１が設置されている。各住戸の住宅情報盤４１は信号線を介して共用部分に設置された警報監視盤４０に接続され、警報監視盤４０で各住戸からの警報信号を集中的に監視している。警報監視盤４０はゲートウェイ３０に接続されており、インターネット３或いは構内ＬＡＮを介して接続された他の機器からの信号はゲートウェイ３０を介して警報監視盤４０に入力される。
【００１７】
ここで、信号入出力装置１の動作について説明する。ＣＰＵ１０は、各インターフェイス１１ａ〜１１ｄに接続されている照明器具やエアコンなどの電気機器の動作状態を常時監視しており、電気機器の動作状態が変化すると、電気機器の動作状態を示す監視信号を発生する。この監視信号はネットワーク接続部１２によりプロトコル変換され、多重伝送系を介して伝送ユニット３６に出力され、さらに伝送ユニット３６からゲートウェイ３０に出力される。尚、電気機器がＨＡシステムに対応した機器の場合は、電気機器のオン／オフのみの監視、制御となるが、例えば調光制御が可能な照明器具であれば、調光レベルのデータを送受信することで、調光レベルを制御したり、監視することもできる。また、エアコンなどの機器では運転モードや設定温度のデータを送受信することで、運転モードや設定温度などを制御したり、監視することができる。
【００１８】
ゲートウェイ３０は、伝送ユニット３６から入力された監視信号のプロトコルをＴＣＰ／ＩＰのプロトコルに変換し、インターネット３を経由して管理サーバ４に送信する。管理サーバ４ではゲートウェイ３から送信された監視信号を蓄積しており、信号入出力装置１に接続されている電気機器の動作状態の一覧を示すウェブ画面のＨＴＭＬファイルを作成する。図４は管理サーバ４により作成されたウェブ画面（機器制御管理画面）の一例を示し、信号入出力装置１に接続された電気機器の名称と、その動作状態とが並べて表示されている。例えば、ＨＡシステムに対応した機器の場合はそのオン、オフが表示される。また調光制御が可能な照明器具であればその点灯状態（全点灯状態、消灯状態又は調光状態）が表示される。さらに、エアコンのように運転モードや設定温度が設定可能な機器であれば、その運転モード（冷房、除湿、暖房、停止など）や設定温度などが合わせて表示される。
【００１９】
そして、利用者が、携帯電話５やパーソナルコンピュータ６のようなインターネット３に接続可能な端末を用い、インターネット３を経由して管理サーバ４にアクセスし、汎用のブラウザを用いて上述したウェブ画面を閲覧することにより、遠隔から住宅内に設置されている複数の電気機器の動作状態を一度に確認することができる。
【００２０】
また、管理サーバ４の作成したウェブ画面のＨＴＭＬファイルには、ブラウザから管理サーバ４へ各電気機器の動作状態を制御する制御信号の受け渡しを行うためのＣＧＩプログラムの起動コードが記述されており、例えばＨＡシステムに対応した機器の場合はウェブ画面中に表示された「オン」又は「オフ」の文字をマウス或いはキーボードなどの入力装置により選択することで、ＣＧＩプログラムが起動され、管理サーバ４に対して制御信号が出力される。また、オン／オフ以外のアナログ的な操作が可能な機器、例えば調光可能な照明器具の場合にはオン／オフ操作に加えて調光レベルを入力装置で入力することにより、ＣＧＩプログラムが起動され、管理サーバ４に対して調光制御を行うための調光信号が出力される。また、運転モードや設定温度が操作可能なエアコンの場合にはウェブ画面中に表示された運転モードを示す文字（例えば「冷房」「除湿」「暖房」「停止」など）を入力装置で選択したり、設定温度を入力したりすることで、ＣＧＩプログラムが起動され、管理サーバ４に対して運転モードや設定温度を切り替える制御信号が出力される。管理サーバ４ではこの制御信号をインターネット３を介してゲートウェイ３０に送信する。ゲートウェイ３０では、管理サーバ４から入力された制御信号のプロトコルを構内の伝送系に適合したプロトコルにプロトコル変換して、伝送ユニット３６に出力し、伝送ユニット３６から対応する信号入出力装置１に制御信号が送信される。そして、信号入出力装置１では、ネットワークインターフェイス１２が伝送ユニット３６から送信された制御信号のプロトコルを変換してＣＰＵ１０に出力し、この制御信号に基づいてＣＰＵ１０が対応する電気機器の接続されたインターフェイス１１ａ〜１１ｄを制御し、この電気機器の動作状態を制御する。
【００２１】
このように、利用者は、インターネット３に接続可能な端末を用いて、自宅に設置された汎用の電気機器の動作状態を遠隔から監視および制御することができ、端末と管理サーバ４との間の常時接続環境を構築していれば、新たに通信費用をかけることなく、ネットワークに接続する機能を持たない汎用の電気機器の監視および制御が行え、インターネット３に接続された他のネットワーク機器を連系して動作させることもできる。
【００２２】
なお、ゲートウェイ３０には警報監視盤４０を介してロビーインターホン４７が接続されており、例えばロビーインターホン４７で指紋や網膜などの本人認証を行うことによって、ロビーインターホン４７から警報監視盤４０を介してゲートウェイ３０に制御信号を出力させ、この制御信号をゲートウェイ３０が伝送ユニット３６に出力することで、その居住者の宅内に設置された電気機器の動作状態を監視したり、制御することもできる。
【００２３】
また、信号入出力装置１に接続された電気機器と構内ＬＡＮに接続された他の機器とを連系して動作させることもできる。例えば、信号入出力装置１に組み込まれた制御プログラムにより、人体検知センサ２３と照明器具２２およびネットワークカメラ５２の動作を連係させることも可能であり、宅内に設置された人体検知センサ２３からの検知信号がゲートウェイ３０および伝送ユニット３６を介して信号入出力装置１に入力されると、ＣＰＵ１０が、対応するインターフェイス１１ａ…を制御して照明器具２２を点灯させるとともに、ネットワーク接続部１２から制御信号を出力させて、伝送ユニット３６およびゲートウェイ３０を介してネットワークカメラ５２の動作を制御することにより、本来は連系機能を持たない機器同士を連系して動作させることもできる。
【００２４】
（実施形態２）
本発明の実施形態２を図５および図６に基づいて説明する。尚、基本的な構成は実施形態１と同様であるので、同一の構成要素には同一の符合を付して、その説明は省略する。
【００２５】
図５は信号入出力装置１のブロック図であり、この信号入出力装置１は、監視制御部としてのＣＰＵ１０と、接点入出力インターフェイス１１ａと、ＪＥＭＡインターフェイス１１ｂと、ＲＳ２３２Ｃインターフェイス１１ｃと、ＲＳ４８５インターフェイス１１ｄと、ルータＨＵＢ３５を介してゲートウェイ３０に接続され、後述の監視信号を構内ＬＡＮに適合したＥｔｈｅｒｎｅｔ（登録商標）のプロトコルに変換してゲートウェイ３０に送信するとともに、ゲートウェイ３０から送信された制御信号のプロトコルを変換してＣＰＵ１０に出力するネットワーク接続部としてのネットワークインターフェイス１２と、ＲＯＭ１３と、ＲＡＭ１４とで構成される。
【００２６】
この信号入出力装置１は、例えば集合住宅の各住戸に設置して、各住戸内のエアコンや照明器具などの電気機器の動作状態を遠隔から監視、制御するといった用途に用いられるものであり、図６に全体のシステム構成図を示す。
【００２７】
図６のＡ１は集合住宅の共用部分、Ａ２は個々の住戸を示している。集合住宅の共用部分には、ルータＨＵＢ３５を介してインターネット３に接続され、インターネット３のＴＣＰ／ＩＰプロトコルを構内ＬＡＮに適合したＥｔｈｅｒｎｅｔ（登録商標）のプロトコルに変換するゲートウェイ３０と、キーボックス３１と、防犯灯３２と、防犯カメラ３３の撮像した動画を管理サーバ４に送信する動画サーバ３４とが設置されており、キーボックス３１、防犯灯３２及び動画サーバ３４はルータＨＵＢ３５を介してゲートウェイ３０に接続されている。
【００２８】
集合住宅の各住戸には、住戸内の各部屋へのマルチメディア配線を１箇所から引き出すためのマルチメディアポート５０が設置されており、このマルチメディアポート５０は信号線を介してルータＨＵＢ３５に接続されている。マルチメディアポート５０内には信号入出力装置１が設置してあり、この信号入出力装置１は信号線を介してルータＨＵＢ３５に接続されている。ここで、信号入出力装置１には、エアコン２０や、照明器具２２や、人体検知センサ２３が接続されており、エアコン２０、照明器具２２、人体検知センサ２３の動作を監視および制御している。尚、図中２１は各住戸内に設置された分電盤であり、信号入出力装置１の接点入出力インターフェイス１１ａに分電盤２１を介して照明器具２２が接続されている。
【００２９】
また、マルチメディアポート５０には各部屋に設置されたマルチメディアコンセント５１が接続されており、マルチメディアコンセント５１およびマルチメディアポート５０を介してネットワーク機能を有するネットワークカメラ５２や携帯情報端末５３がルータＨＵＢ３５に接続される。
【００３０】
ここで、ゲートウェイ３０にはグローバルＩＰアドレスが割り当てられており、ゲートウェイ３０では、インターネット経由で入力された信号を構内ＬＡＮに適合したＥｔｈｅｒｎｅｔ（登録商標）のプロトコルに変換して、信号入出力装置１、キーボックス３１、防犯灯３２、動画サーバ３４、ネットワークカメラ５２、携帯情報端末５３などに送信するようになっている。尚、ゲートウェイ３０、信号入出力装置１、キーボックス３１、防犯灯３２及び動画サーバ３４には固有のＭＡＣアドレスが割り当てられており、ＭＡＣアドレスを指定して相互に信号の授受が行えるようになっている。本実施形態ではゲートウェイ３０のみにグローバルＩＰアドレスを割り当て、ゲートウェイ３０と信号入出力装置１、キーボックス３１、防犯灯３２、動画サーバ３４、ネットワークカメラ５２、携帯情報端末５３との間ではＭＡＣアドレスを用いて信号の授受を行っているので、全ての機器にグローバルＩＰアドレスを割り当てる必要がないという利点がある。
【００３１】
また、集合住宅の各住戸には、ガス漏れ警報器４２、煙感知器４３、ワイヤレス非常押釦４４からワイヤレス信号で送信された警報信号を受信するワイヤレス受信器４５などの防犯・防災センサからの警報信号を受信するとともに、各住戸の玄関に設置されたインターホン４６又はロビーインターホン４７との間で通話を行う住宅情報盤４１が設置されている。各住戸の住宅情報盤４１は信号線を介して共用部分に設置された警報監視盤４０に接続され、警報監視盤４０で各住戸からの警報信号を集中的に監視している。警報監視盤４０はゲートウェイ３０に接続されており、インターネット３或いは構内ＬＡＮを介して接続された他の機器からの信号はゲートウェイ３０を介して警報監視盤４０に入力される。
【００３２】
ここで、信号入出力装置１の動作について説明する。ＣＰＵ１０は、各インターフェイス１１ａ〜１１ｄに接続されている照明器具やエアコンなどの電気機器の動作状態を常時監視しており、電気機器の動作状態が変化すると、電気機器の動作状態を示す監視信号を構内ＬＡＮを介してゲートウェイ３０に出力する。ゲートウェイ３０は、信号入出力装置１から入力された監視信号のプロトコルをＴＣＰ／ＩＰのプロトコルに変換し、インターネット３を経由して管理サーバ４に送信する。管理サーバ４ではゲートウェイ３から送信された監視信号を蓄積しており、信号入出力装置１に接続されている電気機器の動作状態の一覧を示すウェブ画面のＨＴＭＬファイルを作成する。図４は管理サーバ４により作成されたウェブ画面（機器制御管理画面）の一例を示し、信号入出力装置１に接続された電気機器の名称と、その動作状態とが並べて表示される。例えば、ＨＡシステムに対応した機器の場合はそのオン、オフが表示される。また調光制御が可能な照明器具であればその点灯状態（全点灯状態、消灯状態又は調光状態）が表示される。さらに、エアコンのように運転モードや設定温度が設定可能な機器であれば、その運転モード（冷房、除湿、暖房、停止など）や設定温度などが合わせて表示される。
【００３３】
そして、利用者が、携帯電話５やパーソナルコンピュータ６のようなインターネット３に接続可能な端末を用い、インターネット３を経由して管理サーバ４にアクセスし、汎用のブラウザを用いて上述したウェブ画面を閲覧することにより、遠隔から住宅内に設置されている複数の電気機器の動作状態を一度に確認することができる。
【００３４】
また、管理サーバ４の作成したウェブ画面のＨＴＭＬファイルには、ブラウザから管理サーバ４へ各電気機器の動作状態を制御する制御信号の受け渡しを行うためのＣＧＩプログラムの起動コードが記述されており、例えばＨＡシステムに対応した機器の場合はウェブ画面中に表示された「オン」又は「オフ」の文字をマウス或いはキーボードなどの入力装置により選択することで、ＣＧＩプログラムが起動され、管理サーバ４に対して制御信号が出力される。また、オン／オフ以外のアナログ的な操作が可能な機器、例えば調光可能な照明器具の場合にはオン／オフ操作に加えて調光レベルを入力装置で入力することにより、ＣＧＩプログラムが起動され、管理サーバ４に対して調光制御を行うための調光信号が出力される。また、運転モードや設定温度が操作可能なエアコンの場合にはウェブ画面中に表示された運転モードを示す文字（例えば「冷房」「除湿」「暖房」「停止」など）を入力装置で選択したり、設定温度を入力したりすることで、ＣＧＩプログラムが起動され、管理サーバ４に対して運転モードや設定温度を切り替える制御信号が出力される。管理サーバ４ではこの制御信号をインターネット３を介してゲートウェイ３０に送信する。ゲートウェイ３０では、管理サーバ４から入力された制御信号のプロトコルを構内の伝送系に適合したプロトコルにプロトコル変換して、伝送ユニット３６に出力し、伝送ユニット３６から対応する信号入出力装置１に制御信号が送信される。そして、信号入出力装置１では、ネットワークインターフェイス１２が伝送ユニット３６から送信された制御信号のプロトコルを変換してＣＰＵ１０に出力し、この制御信号に基づいてＣＰＵ１０が対応する電気機器の接続されたインターフェイス１１ａ〜１１ｄを制御し、この電気機器の動作状態を制御する。
【００３５】
このように、利用者は、インターネット３に接続可能な端末を用いて、自宅に設置された汎用の電気機器の動作状態を遠隔から監視および制御することができ、端末と管理サーバ４との間の常時接続環境を構築していれば、新たに通信費用をかけることなく、ネットワークに接続する機能を持たない電気機器の監視および制御が行え、インターネット３に接続された他のネットワーク機器を連系して動作させることもできる。
【００３６】
なお、ゲートウェイ３０には警報監視盤４０を介してロビーインターホン４７が接続されており、例えばロビーインターホン４７で指紋や網膜などの本人認証を行うことによって、ロビーインターホン４７から警報監視盤４０を介してゲートウェイ３０に制御信号を出力させ、この制御信号をゲートウェイ３０が構内ＬＡＮを経由して信号入出力装置１に出力することで、その居住者の宅内に設置された電気機器の動作状態を監視したり、制御することもできる。
【００３７】
また、信号入出力装置１に接続された電気機器と構内ＬＡＮに接続された他の機器とを連系して動作させることもできる。例えば、信号入出力装置１に組み込まれた制御プログラムにより、人体検知センサ２３とネットワークカメラ５２及び照明器具２２の動作を連係させることも可能である。人体検知センサ２３からの検知信号がＣＰＵ１０に入力されると、ＣＰＵ１０が対応するインターフェイス１１ａ…を制御して、照明器具２２を点灯させるとともに、ネットワークインターフェイス１２からネットワークカメラ５２に対してそのＭＡＣアドレスを指定して制御信号を送信することにより、照明器具２２およびネットワークカメラ５２を人体検知センサ２３の検知信号に応じて連系動作させることができ、本来は連系機能を持たない機器同士を連系して動作させることができる。
【００３８】
尚、本実施形態ではゲートウェイ３０を介して信号入出力装置１をインターネット３に接続しているが、信号入出力装置１にグローバルＩＰアドレスを割り当てて、この信号入出力装置１をインターネット３に直接接続し、信号入出力装置１のネットワーク接続部１２で、ＣＰＵ１０の発生した監視信号をＴＣＰ／ＩＰのプロトコルに変換して送信するとともに、インターネット３を介して入力された制御信号のプロトコルを変換してＣＰＵ１０に出力するようにしても良い。
【図面の簡単な説明】
【００３９】
【図１】実施形態１の信号入出力装置のブロック図である。
【図２】同上を用いるシステムの概略構成図である。
【図３】同上の通信プロトコルの説明図である。
【図４】同上の管理サーバの機器制御管理画面を説明する説明図である。
【図５】実施形態２の信号入出力装置のブロック図である。
【図６】同上を用いるシステムの概略構成図である。
【符号の説明】
【００４０】
１      信号入出力装置
１０    ＣＰＵ
１１ａ  接点入出力インターフェイス
１１ｂ  ＪＥＭＡインターフェイス
１１ｃ  ＲＳ２３２Ｃインターフェイス
１１ｄ  ＲＳ４８５インターフェイス
１２    ネットワークインターフェイス
３０    ゲートウェイ
３６    伝送ユニット
【図１】
2006109520.tif 000003
【図２】
2006109520.tif 000004
【図３】
2006109520.tif 000005
【図４】
2006109520.tif 000006
【図５】
2006109520.tif 000007
【図６】
2006109520.tif 000008